(57)【要約】【課題】電源の投入・遮断回数を各かご間で均等になるように制御することにより、電源投入・遮断によるエレベーターの部品の品質低下を最小限に抑えて、信頼性の高い運行を行うエレベーターの運転制御装置を得る。【解決手段】各台制御装置１〜２の電源の遮断回数あるいは投入回数のいずれか一方を記憶する記憶部６〜８を各台制御装置１〜２および群管理制御装置３に設けたことにより、記憶部６〜８に記憶されている電源の遮断回数あるいは投入回数に基づいて、電源を遮断する各台制御装置を選択し、選択された各台制御装置の電源を遮断するとともに、記憶部６〜８に記憶されている遮断回数あるいは投入回数の値を１だけ増加させる。【選択図】        図１
2004175470.tif 000002
【特許請求の範囲】
【請求項１】
電源を有するとともにエレベーター単体を個別に制御するための複数の各台制御装置を備えたエレベーターの運転制御装置であって、
上記各台制御装置の上記電源の遮断回数あるいは投入回数の少なくともいずれか一方を記憶する記憶手段と、
上記記憶手段に記憶されている上記電源の遮断回数あるいは投入回数に基づいて、電源を遮断すべき各台制御装置を選択する選択手段と、
上記選択手段によって選択された各台制御装置の電源を遮断するとともに、上記記憶手段に記憶されている遮断回数あるいは投入回数の値を１だけ増加させる遮断手段と
を備えたことを特徴とするエレベーターの運転制御装置。
【請求項２】
上記各台制御装置からの情報に基づいてエレベーターの群管理制御を行う群管理制御装置をさらに備え、
上記記憶手段は、上記各台制御装置の基板に設けられた各台制御装置側記憶部と、上記群管理制御装置の基板に設けられた群管理制御装置側記憶部とから構成され、上記各台制御装置側記憶部および上記群管理制御装置側記憶部の両方に、上記遮断回数あるいは上記投入回数のデータが記憶されており、
上記群管理制御装置は、
上記群管理制御装置の基板の交換時に、各台制御装置側記憶部に記憶されている上記遮断回数あるいは上記投入回数のデータを上記群管理制御装置に対して送信させるためのデータ送信要求を出力する
ことを特徴とする請求項１に記載のエレベーターの運転制御装置。
【請求項３】
上記各台制御装置からの情報に基づいてエレベーターの群管理制御を行う群管理制御装置をさらに備え、
上記記憶手段は、上記各台制御装置の基板に設けられた各台制御装置側記憶部と、上記群管理制御装置の基板に設けられた群管理制御装置側記憶部とから構成され、上記各台制御装置側記憶部および上記群管理制御装置側記憶部の両方に、上記遮断回数あるいは上記投入回数のデータが記憶されており、
上記各台制御装置は、
上記各台制御装置の基板の交換時に、上記群管理制御装置に対して、上記群管理制御装置側記憶部に記憶されている当該各台制御装置の上記電源の投入・遮断回数のデータを初期化するための初期化命令を出力する
ことを特徴とする請求項１に記載のエレベーターの運転制御装置。
【発明の詳細な説明】
【０００１】
【発明の属する技術分野】
この発明は、エレベーターの運転制御装置に関し、特に、群管理を行っているエレベーターシステムにおけるエレベーターの運転制御装置に関する。
【０００２】
【従来の技術】
群管理制御を行っているエレベーターシステムにおいて、従来、エレベーターの電力節約を行うために、建物内でエレベーターの需要が低くなると、特定のかごを休止させるようにしているものがある（例えば、特許文献１参照。）。
【０００３】
【特許文献１】
特開昭５７−３３１７１号公報
【０００４】
当該特許文献においては、各かごの起動回数または走行時間をそれぞれ測定し、測定結果の最大のかごから順に優先的に休止させて、機械的な故障発生率を低減させている。
【０００５】
【発明が解決しようとする課題】
上述の従来のシステムにおいては、省電力のために、各かごの起動回数と走行時間を考慮して、特定のエレベーターを選択して休止させており、電源の投入・遮断回数については全く考慮していないが、実際の群管理制御システムにおいては、起動時間や走行時間よりも、電源の投入・遮断によって生じる温度上下変動に起因する部品の品質低下の方が大きな問題となる。すなわち、電源投入時と遮断時での温度差が大きな箇所である部品の半田接続部においては、金属疲労によるひびが発生し、機器故障が発生してしまうという問題点があった。
【０００６】
この発明は、かかる問題点を解決するためになされたものであり、電源の投入・遮断回数を各かご間で均等になるように制御することにより、電源投入・遮断によるエレベーターの部品の品質低下を最小限に抑えて、信頼性の高い運行を行うエレベーターの運転制御装置を得ることを目的とする。
【０００７】
【課題を解決するための手段】
この発明は、電源を有するとともにエレベーター単体を個別に制御するための複数の各台制御装置を備えたエレベーターの運転制御装置であって、上記各台制御装置の上記電源の遮断回数あるいは投入回数の少なくともいずれか一方を記憶する記憶手段と、上記記憶手段に記憶されている上記電源の遮断回数あるいは投入回数に基づいて、電源を遮断すべき各台制御装置を選択する選択手段と、上記選択手段によって選択された各台制御装置の電源を遮断するとともに、上記記憶手段に記憶されている遮断回数あるいは投入回数の値を１だけ増加させる遮断手段とを備えたエレベーターの運転制御装置である。
【０００８】
【発明の実施の形態】
実施の形態１．
図１は、本発明の実施の形態１に係るエレベーターの運転制御装置の全体の構成を示したブロック図である。図１に示すように、当該システムにおいては、複数のエレベーター単体＃１〜＃２（図示省略）を個別に制御するための各台制御装置（図中、ＣＣと示す。）１〜２と、各台制御装置１〜２から伝送される乗場情報に基づいて各エレベーター単体＃１〜＃２の割当て処理などを行う群管理制御装置（図中、ＧＣと示す。）３とが、群管理各台通信路４により接続されている。
【０００９】
各台制御装置１〜２および群管理制御装置３の内部には、図１に示すように、記憶部６，７，８が、それぞれ、実装されている。記憶部６〜７は、各台制御装置１〜２の電源を投入／遮断した回数を記憶する。また、記憶部８も、同様に、各台制御装置１〜２の電源を投入／遮断した回数を記憶する。
【００１０】
また、各台制御装置１〜２には、それぞれ、それらの電源を制御する各台制御用電源装置（図中、ＰＳと示す。）１１〜１２が接続されている。各台制御用電源装置１１〜１２は、図１に示すように、群管理各台通信路４により、群管理制御装置３にも接続されている。
【００１１】
次に、エレベーター単体＃１を電源遮断する時の動作について、図２を用いて、説明する。まず、群管理制御装置３から電源遮断命令を受けた各台制御装置１は、かご内に乗客がおらず、エレベーターが利用されていない状態、すなわち、電源が遮断可能になる状態まで待つ（ステップＳ２１）。各台制御装置１が電源遮断可能になると、各台制御装置１の各台制御用電源装置１１は、各台制御装置１の電源を遮断する（ステップＳ２２）。その後、エレベーターの利用頻度が増えると、群管理制御装置３から電源投入命令が各台制御用電源装置１１に送信される（ステップＳ２３）。電源投入命令を受信した各台制御用電源装置１１は、各台制御装置１の電源を投入する（ステップＳ２４）。各台制御装置１が制御処理可能になり、群管理各台通信処理が可能になると、群管理制御装置３内の記憶部８に保存してある電源投入回数を１だけ増やし、その数を記憶する（ステップＳ２５）。記憶した電源投入回数は群管理各台通信路４を経由して、各台制御装置１へ電源投入回数を送信する（ステップＳ２６）。各台制御装置１は受信した電源投入回数を、各台制御装置１内の記憶部６に記憶する（ステップＳ２７）。
【００１２】
なお、上記図２の説明においては、各台制御装置１を電源遮断する例について説明したが、電源遮断すべき各台制御装置は、過去の電源投入回数に応じて、選択される。すなわち、群管理制御装置３は、自身の記憶部８あるいは各台制御装置１〜２の記憶部６〜７に記憶されている電源投入回数を参照して、その数が最小である各台制御装置を電源遮断するように選択し、選択した各台制御装置に対して、図２のステップＳ２１で説明した電源遮断命令を送信する。これにより、電源の投入・遮断によって生じる部品の温度上下変動に起因する品質低下を各台制御装置間で均等になるように制御することができる。
【００１３】
次に、群管理制御装置３が記憶部８に記憶した電源投入回数に応じて、電源を遮断する動作について図５を使用して説明する。
【００１４】
群管理制御装置３は利用乗客が少ない、あるいは、利用乗客が無い状態で、１台以上の各台制御装置１または２のサービスを停止するため、各台制御装置１または２の電源遮断が必要と判断する（ステップＳ５１）。予め設定された順番で各台制御装置１の電源が遮断可能か否かを決定するために、群管理制御装置３内の記憶部８に記憶された各台制御装置１の電源投入回数を参照する（ステップＳ５２）。参照した電源投入回数が、予め設定された設定回数（しきい値）以下の場合、各台制御装置１に電源遮断命令を送信する（ステップＳ５３）。一方、参照した電源投入回数が設定回数に達している場合には、電源投入回数が設定回数に達していない他の各台制御装置２に電源遮断命令を送信する（ステップＳ５４）。なお、以降の電源遮断手順は、図２と同一となる。
【００１５】
以上のように、本実施の形態においては、過去の電源投入回数を記憶する記憶部を、群管理制御装置あるいは各台制御装置に設けて、過去の電源投入回数に応じて電源を遮断する各台制御装置を選択するようにしたので、電源の投入・遮断によって生じる部品の温度上下変動に起因する品質低下が均等になるように、各台制御装置を制御することができる。このように、本実施の形態においては、電源の投入・遮断回数を各かご間で均等になるように制御することにより、電源投入・遮断によるエレベーターの部品の品質低下を最小限に抑えて、信頼性の高い運行を行うことができる。
【００１６】
なお、図５のステップＳ５４において、他の各台制御装置２についても記憶部６〜８のいずれかの電源投入回数のデータを参照して、その値も設定回数に達している、または、予め定義された近傍値（すなわち、設定回数が５０回の場合、４５回以上を近傍値というように予め定義しておく。）に達している場合には、警告を表示するか、アラーム音を鳴らして、使用者に通告するようにしてもよい。
【００１７】
実施の形態２．
本実施の形態においては、群管理制御装置３の基板を交換した場合の動作の一例を図３を使用して説明する。なお、本実施の形態に係るエレベーターの運転制御装置の全体の構成は、図１に示したものと同じであるため、図１を参照し、ここではその説明は省略する。
【００１８】
群管理制御装置３の基板を交換した場合には、まず、群管理制御装置３の基板を交換後、電源が投入された時点で、群管理制御装置３の記憶部８に記憶されている電源投入回数が初期状態であることを認識する（ステップＳ３１）。次に、各台制御装置１〜２へ電源投入回数の送信を要求するためのデータ送信要求を出力する（ステップＳ３２）。電源投入回数の送信要求を受信した各台制御装置１〜２は、各台制御装置１〜２内の記憶部６〜７に記憶された電源投入回数を送信する（ステップＳ３３）。電源投入回数のデータを受信した群管理制御装置３は、群管理制御装置３内の記憶部８の電源投入回数データを変更する（ステップ３４）。
【００１９】
以上のように、本実施の形態においては、群管理制御装置３の基板交換時に、各台制御装置１〜２の記憶部６〜７から、各電源投入回数のデータを送信してもらい、それを自身の記憶部８に記憶するようにしたので、基板交換によって失われる各電源投入回数のデータを、使用者が入力しなくても、自動的に、記憶部８に記憶されるため、使用者の手間が省け、効率が良くなるとともに、入力ミスの問題も防げ、利便性および信頼性の向上を図ることができる。
【００２０】
実施の形態３．
本実施の形態においては、各台制御装置１の基板を交換した場合の動作について図４を使用して説明する。なお、本実施の形態に係るエレベーターの運転制御装置の全体の構成は、図１に示したものと同じであるため、図１を参照し、ここではその説明は省略する。
【００２１】
各台制御装置１の基板を交換した場合には、各台制御装置１の基板を交換後、電源が投入された時点で、記憶部６に記憶されている電源投入回数が初期状態であることを認識する（ステップＳ４１）。各台制御装置１は、群管理制御装置３へ電源投入回数の初期化命令を送信する（ステップＳ４２）。群管理制御装置３は、当該電源投入回数の初期化命令を受信する（ステップＳ４３）。群管理制御装置３は、当該初期化命令に従って、群管理制御装置３内の記憶部８に記憶された各台制御装置１の電源投入回数を初期化する（ステップＳ４４）。
【００２２】
上記の説明においては、各台制御装置１の基板を交換する場合について説明したが、当然ながら、各台制御装置２の基板を交換する場合も同様の動作する。
【００２３】
以上のように、本実施の形態においては、各台制御装置１の基板交換時に、各台制御装置１から、群管理制御装置３の記憶部８における各台制御装置１の電源投入回数のデータを初期化するための初期化命令が送信され、群管理制御装置３は、それに基づいて、記憶部８のデータの初期化を行うようにしたので、各台制御装置１の基板交換時に、使用者が群管理制御装置３の記憶部８のデータを初期化しなくても、自動的に初期化されるため、使用者の手間が省け、効率が良くなるとともに、初期化忘れミスの問題も防げ、利便性および信頼性の向上を図ることができる。
【００２４】
なお、上記の実施の形態１〜３においては、記憶部６〜８に、電源投入回数を記憶する例について述べたが、その場合に限らず、電源遮断回数を記憶するようにしてもよく、その場合も同様の効果が得られる。
【００２５】
【発明の効果】
この発明は、電源を有するとともにエレベーター単体を個別に制御するための複数の各台制御装置を備えたエレベーターの運転制御装置であって、上記各台制御装置の上記電源の遮断回数あるいは投入回数の少なくともいずれか一方を記憶する記憶手段と、上記記憶手段に記憶されている上記電源の遮断回数あるいは投入回数に基づいて、電源を遮断すべき各台制御装置を選択する選択手段と、上記選択手段によって選択された各台制御装置の電源を遮断するとともに、上記記憶手段に記憶されている遮断回数あるいは投入回数の値を１だけ増加させる遮断手段とを備えたエレベーターの運転制御装置であるので、電源の投入・遮断回数を各かご間で均等になるように制御することにより、電源投入・遮断によるエレベーターの部品の品質低下を最小限に抑えて、信頼性の高い運行を行うことができる。
【図面の簡単な説明】
【図１】本発明のエレベーターの運転制御装置の全体の構成を示したブロック図である。
【図２】本発明の実施の形態１に係るエレベーターの運転制御装置の動作を示した流れ図である。
【図３】本発明の実施の形態２に係るエレベーターの運転制御装置の動作を示した流れ図である。
【図４】本発明の実施の形態３に係るエレベーターの運転制御装置の動作を示した流れ図である。
【図５】本発明の実施の形態１に係るエレベーターの運転制御装置の動作を示した流れ図である。
【符号の説明】
１，２  各台制御装置、３  群管理制御装置、４  群管理各台通信路、６，７，８  記憶部、１１，１２  各台制御用電源装置。
【図１】
2004175470.tif 000003
【図２】
2004175470.tif 000004
【図３】
2004175470.tif 000005
【図４】
2004175470.tif 000006
【図５】
2004175470.tif 000007